【手続補正書】
【提出日】平成17年8月24日(2005.8.24)
【手続補正１】
【補正対象書類名】明細書
【補正対象項目名】全文
【補正方法】変更
【補正の内容】
【書類名】      明細書
【発明の名称】  スロットマシン
【特許請求の範囲】
【請求項１】
遊技用メダルを貯留するスロットマシン用の上皿を備えたスロットマシンであって、
前記上皿は、
一対の立設壁と、
一対の側壁と、
これらの立設壁及び側壁で囲まれる底部とを備え、
前記上皿は、
中央にスロットマシンから払い出されるメダルの貯留部を設け、
この貯留部の一方側に、スロットマシンへのメダルの投入部を形成すると共に、
他方側に、メダルを上皿下方のスロットマシン前面に設けた下皿のメダル払い出し口に案内するための開口部を形成し、
スロットマシンから前記上皿にメダルを払い出すためのメダル払い出し口には、払い出されるメダルが前記メダル貯留部方向、前記メダル投入部方向及び前記開口部方向のいずれかに振り分け自在な振り分け機構を備えたことを特徴とするスロットマシン。
【請求項２】
前記メダル振り分け機構は、回転自在なメダル払い出しノズルであることを特徴とする、請求項１に記載のスロットマシン。
【請求項３】
前記メダル振り分け機構は、平行移動可能なメダル払い出しノズルであることを特徴とする、請求項１に記載のスロットマシン。
【請求項４】
前記スロットマシンは、
スロットマシン内部に貯留したメダルを払い出すためのホッパー装置と、
このホッパー装置から前記メダル払い出し口までメダルを揚送するメダル揚送装置とを備え、
前記メダル揚送装置の前記メダル払い出しノズル側の先端部には、蛇腹が形成され、前記メダル払い出しノズルを平行移動可能としたことを特徴とする、請求項３に記載のスロットマシン。
【請求項５】
前記メダル振り分け機構は、先端部に蛇腹が形成されたメダル払い出しノズルであることを特徴とする、請求項１に記載のスロットマシン。
【請求項６】
前記メダル振り分け機構は、前記メダル貯留部、メダル投入部及び開口部のいずれかにそれぞれメダルを導くメダル払い出しノズルと、このメダル払い出しノズルにホッパー装置から排出されるメダルを供給するメダル通路と、このメダル通路内に設けられ、前記メダルを前記メダル貯留部、メダル投入部及び開口部のいずれかに振り分けるシャッターとを含む、請求項１に記載のスロットマシン。
【請求項７】
前記メダル振り分け機構は、前記メダル貯留部、メダル投入部及び開口部のいずれかにそれぞれメダルを導くメダル払い出しノズルと、このメダル払い出しノズルにホッパー装置から排出されるメダルを供給すると共に、その一部が移動することにより前記メダルを前記メダル貯留部、メダル投入部及び開口部のいずれかに導く可動式メダル通路とを含む、請求項１に記載のスロットマシン。
【請求項８】
前記可動式メダル通路と前記メダル払い出しノズルとの間に、両者の連通を阻止する蓋部材が設けられていることを特徴とする、請求項７に記載のスロットマシン。
【請求項９】
前記可動式メダル通路の入口に、蛇腹が形成されていることを特徴とする、請求項７又は８に記載のスロットマシン。
【請求項１０】
前記メダル振り分け機構は、前記メダル貯留部、メダル投入部及び開口部のいずれかにそれぞれメダルを導くメダル払い出しノズルと、このメダル払い出しノズルのいずれかにホッパー装置から排出されるメダルを振り分ける、スリットが形成された回転板とを含むことを特徴とする、請求項１に記載のスロットマシン。
【請求項１１】
前記メダル貯留部と前記メダル投入部との間には、上方に向かって隆起する隆起部を形成し、且つ、前記メダル貯留部と前記開口部との間には、上方に向かって隆起する隆起部を形成したことを特徴とする請求項１から１０までのいずれか１項に記載のスロットマシン。
【発明の詳細な説明】
【０００１】
【発明の属する技術分野】
この発明は、スロットマシン用上皿を備えたスロットマシンに関する。
【０００２】
【従来の技術】
スロットマシン等の遊技機にはメダルの投入口が設けられており、遊技者は所定の枚数のメダルを投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
従来のスロットマシンでは、入賞時に払い出されたメダルは、スロットマシンの下部に設けられたメダル払い出し口に払い出される。このメダルを使ってゲームを継続するには、遊技者がスロットマシンの下部に設けられたメダル払い出し口からメダルを取り出し、スロットマシンの上部に設けられたメダル投入口にメダルを１枚づつ入れる必要があった。
【０００４】
【発明が解決しようとする課題】
しかし、ゲームを行う度毎にメダルをメダル払い出し口から取り出して持ち上げ、メダル投入口に投入する操作に手数を有するという問題点があった。
【０００５】
このため、メダルをメダル投入口に投入する操作の手数を省くことができ、円滑かつ迅速にゲームを進行することができるスロットマシンが求められていた。
【０００６】
本発明は係る要請に応えるためになされたものであり、遊技者がメダルをいちいち持ち上げる手間を省くべく、ホッパー装置から払い出されるメダルを上皿へ溜める、スロットマシンにメダルを投入する、及びメダルを下皿に導く操作を自動的に切り換えて行うことができるスロットマシンを提供することを目的とする。
【０００７】
【課題を解決するための手段】
本発明に係るスロットマシンは、遊技用メダルを貯留するスロットマシン用の上皿を備えたスロットマシンであって、前記上皿は、一対の立設壁と、一対の側壁と、これらの立設壁及び側壁で囲まれる底部とを備え、前記上皿は、中央にスロットマシンから払い出されるメダルの貯留部を設け、この貯留部の一方側に、スロットマシンへのメダルの投入部を形成すると共に、他方側に、メダルを上皿下方のスロットマシン前面に設けた下皿のメダル払い出し口に案内するための開口部を形成し、スロットマシンから前記上皿にメダルを払い出すためのメダル払い出し口には、払い出されるメダルが前記メダル貯留部方向、前記メダル投入部方向及び開口部方向のいずれかに振り分け自在な振り分け機構を備えたことを特徴とする。
【０００８】
好ましくは、前記メダル振り分け機構は、回転自在なメダル払い出しノズルである。
【０００９】
好ましくは、前記メダル振り分け機構は、平行移動可能なメダル払い出しノズルである。
【００１０】
好ましくは、図１に示すように、前記スロットマシンは、スロットマシン内部に貯留したメダルを払い出すためのホッパー装置と、このホッパー装置から前記メダル払い出し口までメダルを揚送するメダル揚送装置とを備え、図５に示すように、前記メダル揚送装置の前記メダル払い出しノズル側の先端部には、蛇腹が形成され、前記メダル払い出しノズルを平行移動可能としている。
【００１１】
好ましくは、前記メダル振り分け機構は、先端部に蛇腹が形成されたメダル払い出しノズルである。
【００１２】
好ましくは、前記メダル振り分け機構は、前記メダル貯留部、メダル投入部及び開口部のいずれかにそれぞれメダルを導くメダル払い出しノズルと、このメダル払い出しノズルにホッパー装置から排出されるメダルを供給するメダル通路と、このメダル通路内に設けられ、前記メダルを前記メダル貯留部、メダル投入部及び開口部のいずれかに振り分けるシャッターとを含む。
【００１３】
好ましくは、前記メダル振り分け機構は、前記メダル貯留部、メダル投入部及び開口部のいずれかにそれぞれメダルを導くメダル払い出しノズルと、このメダル払い出しノズルにホッパー装置から排出されるメダルを供給すると共に、その一部が移動することにより前記メダルを前記メダル貯留部、メダル投入部及び開口部のいずれかに導く可動式メダル通路とを含む。
【００１４】
好ましくは、前記可動式メダル通路と前記メダル払い出しノズルとの間に、両者の連通を阻止する蓋部材が設けられている。
【００１５】
好ましくは、前記可動式メダル通路の入口に、蛇腹が形成されている。
【００１６】
好ましくは、前記メダル振り分け機構は、前記メダル貯留部、メダル投入部及び開口部のいずれかにそれぞれメダルを導くメダル払い出しノズルと、このメダル払い出しノズルのいずれかにホッパー装置から排出されるメダルを振り分ける、スリットが形成された回転板とを含む。
【００１７】
好ましくは、メダル揚送装置の先端部には、蛇腹が形成されている。
【００１８】
好ましくは、図２に示すように、前記メダル貯留部と前記メダル投入部との間には、上方に向かって隆起する隆起部を形成し、且つ、前記メダル貯留部と前記開口部との間には、上方に向かって隆起する隆起部を形成している。
【００１９】
【発明の実施の形態】
発明の実施の形態１．
【００２０】
この発明の実施の形態１に係るスロットマシンについて、図面を参照して説明する。
【００２１】
図１は、本発明における発明の実施の形態１に係る上皿を備えたスロットマシンの正面図である。
【００２２】
スロットマシン１０は、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ベットスイッチ１６は、回転リール４０の下方に位置するスイッチであって、貯留メダル数を減じてメダル投入に代える。精算スイッチ（図示しない）は、回転リールの斜め下方に位置するスイッチであって、貯留した投入メダルを払い出す。スタートスイッチ３０は回転リール４０の斜め下方に位置するレバーであって、遊技メダルの投入若しくはベットスイッチ１６の投入を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。
【００２３】
図２は、スロットマシン用の上皿２０を示す斜視図であり、図において、上皿（本体）２０は、その長手方向に沿って立設された立設壁２０ａ、２０ｂと、短手方向に沿って立設された側壁２０ｃ、２０ｄと、これらの立設壁２０ａ、２０ｂ及び側壁２０ｃ、２０ｄで囲まれて隣接する底部２０ｅとにより画成されている。
【００２４】
立設壁２０ｂの正面ほぼ中央には、入賞時にメダルを払い出すメダル払い出し口２１が設けられており、その先端にはメダル払い出しノズル２２が設けられている。このメダル払い出しノズル２２は、ＤＣモータ（図示しない）等により駆動され、上皿２０前面を左右に回転移動することができる。上皿２０の中央には、メダル払い出しノズル２２から払い出されたメダルを貯留するメダル貯留部２３が設けられており、上皿２０の右側にはメダル投入装置２０１へ導くメダルを受けるメダル投入部２４を、左側にはメダルを下方にあるメダル受け部（下皿）３１１へ導く開口部２５をそれぞれ備えている。
なお、図２に示すように、メダル貯留部２３とメダル投入部と２４の間には、上方に向かって隆起する隆起部を形成し、且つ、メダル貯留部２３と開口部２５との間には、上方に向かって隆起する隆起部を形成している。
さらに、上皿２０の前面には、メダル払い出しノズル２２の先端の位置をメダル貯留部２３、メダル投入部２４、開口部２５に向けて移動させる切り換えスイッチ２６が設けられている。すなわち、この切り換えスイッチ２６を作動させることによって、メダル払い出しノズル２２を左右に回転移動させることができる。これにより、遊技機がスロットマシン１０から払い出されたメダルを上皿２０に貯留したい場合には、メダル払い出しノズル２２の先端をメダル貯留部２３に向けておけばよく、メダル投入装置２０１へメダルを導入したい場合には、メダル払い出しノズル２２の先端をメダル投入部２４に向け、メダル受け部（下皿）３１１（図１参照、なお、図２では上皿付近の部分だけを示し、その下方のメダル受け部（下皿）等は図２では省略している）へメダルを移したい場合には、メダル払い出しノズル２２の先端を開口部２５に向けることができる。この操作は、切り換えスイッチ２６により自動的に行うことができるので、遊技者が直接メダルに手を触れることなくメダルの送り先を変更でき、操作の煩わしさを解消することができる。また、メダルを手で送り出す際の手の汚れも解消することができる。
【００２５】
なお、切り換えスイッチ２６の代わりに、機械的に作動させる切り換えレバーを用いてもよい。また、メダル払い出しノズル２２の先端を切り換えスイッチ２６により自動的に行っているが、遊技者の手動による振り分けを行うことも可能である。また、スロットマシン１０本体側の立設壁２０ｂには、受け皿であるメダル貯留部２３で溢れたメダルを、後述する下方払出し口（下皿）に導く連通路に接続されたメダル導出口（図示しない）が形成されていてもよい。メダル導出口に蓋部材を設けることも可能である。
【００２６】
次に、図１において点線で示すように、スロットマシン１０には、メダル投入部２３から投入されるメダルを受けてこれを送り出すメダル投入装置の本体２０１、送り出されたメダルを受けて正しいメダルかどうか判別するメダルセレクタ３００及びスロットマシン１０内に貯留されたメダルを払い出すためのメダル払い出しホッパー装置３１０、ホッパー装置３１０のメダルをメダル払い出し口２３に揚送するメダル揚送装置３２０を備える。
【００２７】
ここで、メダル揚送装置３２０は、例えば、ベルトコンベヤ方式によりメダルを揚送する。パチンコ、スロットマシン等の遊技施設では、連設される各遊技機からメダルを回収したり、各遊技機にメダルを分配供給する装置としてベルトコンベヤ方式が一般的に用いられている。あるいは、スクリューの回転によってメダルを揚送するようにしてもよい。スクリュー式のメダル揚送装置は、例えば、軸方向に延びるスクリューと、スクリューが回転可能に添設される搬送ベースと、スクリューをはさみ搬送ベースと対向する位置に配設されガイドレールとを備え、スクリューのピッチ幅内にガイドレールによって立脚状態に保持されるメダルが、スクリューの回転によって軸方向へ移動されるものである。スクリューを回転させることによって、メダルはスクリューの軸方向へ押出され移動するようになり、メダル搬送経路に高低差を有する揚送部が形成されていても、容易に揚送される。
【００２８】
メダルセレクタ３００は、筐体の前扉の裏面においてメダル投入装置２０１のメダル排出側に設けられている。メダルセレクタ３００は排出されたメダルの通過を検出しながら、メダルをホッパー装置３１０に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。メダルセレクタ３００の下側には、その下部側を覆って下皿３１１に連通する導出路が設けられている。メダルセレクタ３００により振り分けられたメダルは、この導出路を介して下皿３１１から遊技者に返却される。メダルセレクタ３００は、メダルセレクタ本体と、投入されたメダルをメダルセレクタ３００内に導くメダル投入部と、メダルセレクタ３００から排出されるメダルをホッパー装置３１０に向かって排出するメダル排出部と、メダルセレクタ３００から下皿３１１にメダルを返却するメダル返却部とを備えている。
【００２９】
筐体の内部には、その内底面に固定され、内部に複数のメダルを貯留して、貯留したメダルを上皿２０に設けられたメダル払い出し口２１に１枚ずつ払い出すためのホッパー装置３１０が設置されている。このホッパー装置３１０の上部には、上方に向けて開口し、内部に複数のメダルを貯留するホッパータンクを備えている。ホッパー装置３１０は、大別すると、ホッパーシャーシと、このホッパーシャーシに回転可能に支持され、ホッパータンクから落下したメダルが上方より１枚ずつはまり込む複数個（例えば５個）のメダル落とし穴を有するロータディスクと、このロータディスクを回転するＤＣモータとを備えている。このＤＣモータの駆動力により回転するロータディスクの回転時に、ロータディスクのメダル落とし穴に落ち込んだメダルは、メダル排出口から外部に排出される。上記ホッパーシャーシの上部には、ベースプレートが斜めに取り付けられる。ベースプレートにはＤＣモータが固定されている。ＤＣモータの出力軸は、ベースプレートを貫通して、その上面のほぼ中央に突出している。ベースプレートが斜めになっているので、ＤＣモータの出力軸は垂直方向に対して交差している。このため、ロータディスクは、そのメダル排出口側が高く、その反対側が低くなっている。ベースプレートの上にはハウジングサポートが位置する。ハウジングサポートの周囲には隆起した突縁部が形成されている。この突縁部のメダル排出口の部分は切り欠かれており、メダルはこの部分を通って排出される。ロータディスクのメダル落とし穴に落ち込んだメダルが、ロータディスクの回転に伴いメダル排出口に位置すると、当該メダルはメダル排出口を通って外部に排出される。このように、ロータディスクの回転に伴い、メダルが順番に排出される。
【００３０】
メダル投入装置２０１は、例えばベルト式のメダル投入装置やスライド式のメダル投入装置を用いることができる。
発明の実施の形態２．
【００３１】
発明の実施の形態１においては、メダル払い出し口２１の先端にメダル払い出しノズル２２が回転可能に設けられている場合について説明したが、本発明はこれに限定されるものではなく、種々の形式のメダル振り分け機構を採用することができる。図３はこの発明の実施の形態２に係る上皿に適用されるメダル払い出しノズル２２ａを示す概略斜視図である。図において、メダル払い出しノズル２２ａはノズル収容部２７内に収容され、上皿２０の左から開口部２５、メダル貯留部２３及びメダル投入部２４に対応する位置に平行移動することができる。この平行移動も発明の実施の形態１と同様に、切り換えスイッチ２６を使用することにより、図示しないＤＣモータ等の駆動機構によってメダル払い出しノズル２２ａを平行移動することができる。
【００３２】
ここで、図４に概略的に示すように、ホッパー装置３１０は、ホッパータンク３１２を備え、ホッパータンク３１２から落下したメダルが上方より１枚ずつはまり込む複数個のメダル落とし穴３１４を有するロータディスク３１６を備えている。ＤＣモータ（図示しない）の駆動力により回転するロータディスク３１６の回転時に、ロータディスク３１６のメダル落とし穴３１４に落ち込んだメダルは、メダル排出口からメダル揚送装置３２０によりメダル払い出しノズル２２ａに排出される。
【００３３】
図５は、ノズル収容部２７を背面から見た概略斜視図である。メダル払い出しノズル２２ａが平行移動するので、図５に示すように、メダル揚送装置３２０の先端部３２１は、メダル払い出しノズル２２ａの平行移動に応じて移動できるように可撓性を有する構成とすることが望ましく、先端部３２１は例えば蛇腹が形成されている。これにより、メダル払い出しノズル２２ａが平行移動した際にも、ホッパー装置３１０からのメダルを円滑に上皿２０に導入することができる。発明の実施の形態３．
【００３４】
発明の実施の形態１及び２では、メダル払い出しノズル２２又はメダル払い出しノズル２２ａがそれぞれ回転式又は平行移動する場合について説明したが、本発明の実施の形態においては、図６に示すように、メダル払い出しノズル２２ｂの先端が蛇腹式である。従って、発明の実施の形態１及び２と同様に、切り換えスイッチ２６を使用することにより、図示しないＤＣモータ等の駆動機構によってメダル払い出しノズル２２ｂの先端を左右に移動することができる。なお、メダル貯留部２３に対応する位置にメダル払い出しノズル２２ｂの先端が位置する場合には、上皿２０の前面からメダルが飛び出すのを防止するために、メダル払い出しノズル２２ｂが長くならないように注意することが望ましい。
発明の実施の形態４．
【００３５】
発明の実施の形態１〜３においては、メダル払い出しノズル２２ａ及び２２ｂを回転移動、平行移動する場合について説明したが、本発明によるメダル振り分け機構は、これらの発明の実施の形態に限定されるものではなく、図７に示すように、メダル揚送装置３２０からのメダルをメダル払い出しノズル２２ｃに導くメダル通路２８の内部にメダル振り分け機構を設けることも可能である。すなわち、図７に示すように、メダル通路２８内に開閉自在なシャッター２９ａ、２９ｂを設け、切り換えスイッチ２６によりシャッター２９ａ、２９ｂのいずれかを開け、又は両方のシャッター２９ａ、２９ｂを閉じることにより、メダルの排出先を変更することができる。
発明の実施の形態５．
【００３６】
発明の実施の形態４においては、メダル通路２８内に開閉自在なシャッター２９ａ、２９ｂを設けたが、この発明の実施の形態では、メダル通路２８の一部に可動式のメダル通路３１を設けることができる。この可動式メダル通路３１を左右のメダル通路３１ａ、３１ｂに移動することにより、メダル払い出しノズル２２ｄの先端を、それぞれメダル貯留部２３、メダル投入部２４及び開口部２５に対応する位置に変更することができる。
【００３７】
なお、図９に示すように、可動式メダル通路３１からメダル払い出しノズル２２ｅにメダルが供給されるとき、メダルがこぼれ落ちるのを防止するために、これらの可動式メダル通路３１とメダル払い出しノズル２２ｅとの間に蓋部材３２を設けてもよい。また、可動式メダル通路３１が左右に移動したときに、メダル通路２８からのメダルがこぼれ落ちないように、可動式メダル通路３１の入口に蛇腹３３を設けてもよい。
発明の実施の形態６．
【００３８】
図１０は、発明の実施の形態６によるメダル振り分け機構を示す概略斜視図であり、メダル揚送装置３２０と、ノズル本体３４との間には、スリット３５が形成された回転板３６が配置されている。ノズル本体３４は、内部で行き先が三カ所に分かれており、その先端部がメダル払い出しノズル２２ｆである。メダル揚送装置３２０から排出されるメダルは、回転板３６のスリット３５に導かれてノズル本体３４の区画３４ａ〜３４ｃのいずれかに導かれる。これにより、メダル払い出しノズル２２ｆ先端を、それぞれメダル貯留部２３、メダル投入部２４及び開口部２５に対応する位置に変更することができる。なお、回転板３６のスリット３５の移動に連動してメダル揚送装置３２０の先端部３２１が移動できるように、例えば蛇腹が形成されているのが望ましい。
【００３９】
本発明は、以上の実施の形態に限定されることなく、特許請求の範囲に記載された発明の範囲内で、種々の変更が可能であり、それらも本発明の範囲内に包含されるものであることは言うまでもない。
【００４０】
【発明の効果】
以上のとおり、本発明によれば、メダル貯留部、メダル投入部、開口部にメダルを自動的に振り分けるので、遊技者が直接メダルに手を触れることなくメダルの送り先を変更でき、操作の煩わしさを解消することができる。また、メダルを手で送り出す際の手の汚れも解消することができるという効果を奏する。
【図面の簡単な説明】
【図１】発明の実施の形態１に係る上皿を備えたスロットマシンの正面図である。
【図２】発明の実施の形態１に係るスロットマシン用の上皿を示す斜視図である。
【図３】発明の実施の形態２に係る上皿に適用されるメダル払い出しノズルを示す概略斜視図である。
【図４】ホッパー装置の一部破断された概略斜視図である。
【図５】ノズル収容部２７を背面から見た概略斜視図である。
【図６】発明の実施の形態３に係る上皿に適用される先端が蛇腹式であるメダル払い出しノズルを示す概略平面図である。
【図７】発明の実施の形態４に係る上皿に適用されるメダル払い出しノズルの概略平面図である。
【図８】発明の実施の形態５に係る上皿に適用されるメダル払い出しノズルの概略平面図である。
【図９】発明の実施の形態５に係る上皿に適用されるメダル払い出しノズル変形例の概略平面図である。
【図１０】発明の実施の形態６に係る上皿に適用されるメダル払い出しノズルの概略斜視図である。
【符号の説明】
１０    スロットマシン
１１    筐体
１２    表示窓
１３    図柄表示窓
１６    ベットスイッチ
１７    精算スイッチ
２０    上皿
２０ａ、２０ｂ  立設壁
２０ｃ、２０ｄ  側壁
２０ｅ  底部
２１    メダル払い出し口
２２、２２ａ〜２２ｆ    メダル払い出しノズル
２３    メダル貯留部
２４    メダル投入部
２５    開口部
２６    切り換えスイッチ
２７    ノズル収容部
２８    メダル通路
２９ａ、２９ｂ    シャッター
３１    可動式メダル通路
３１ａ、３１ｂ    メダル通路
３２    蓋部材
３３    蛇腹
３４    ノズル本体
３４ａ〜３４ｃ    区画
３５    スリット
３６    回転板
４０    回転リール
４２    リールテープ
５０    ストップスイッチ
６０    リールユニット
６１    図柄
２０１  メダル投入装置
３００    メダルセレクタ
３０４    メダル払い出し口
３１０    メダル払い出しホッパー装置
３１１    メダル受け部（下皿）
３１２    ホッパータンク
３１４    メダル落とし穴
３１６    ロータディスク
３２０    メダル揚送装置
３２１    先端部